(57)【要約】【課題】半球率が制約される場合であっても最も物体側に位置されるレンズの像側の凹面の曲率半径を従来と比べて小さくできるレンズユニットおよびカメラモジュールを提供する。【解決手段】本発明のレンズユニット１１は鏡筒１２と広角レンズを構成するレンズ群Ｌとを備える。レンズ群Ｌを構成する最も物体側に位置されるガラスレンズ１３は、負のパワーを有し、物体側の面が物体側へ向けて突出する凸状面１３ａとして形成されるとともに、物体側へ向けて凹む径方向内側の凹面部１３ｂと光軸方向に面する径方向外側の外端部１３ｃとを像側の面に有する。光軸方向で互いに対向するガラスレンズ１３の外端部１３ｄと鏡筒１２のレンズ支持面部１２ｂとの間にシール部材２６が介挿される。凹面部１３ｂの径方向両端間を結ぶ弦の長さの１／２をｘとし、凹面部１３ｂの曲率半径をＲとしたときに、ｘ／Ｒが０．９以上である。【選択図】図１
2019113734.tif 000002
【特許請求の範囲】
【請求項１】
複数のレンズが光軸に沿って並べられて成る広角レンズを構成するレンズ群を備えるとともに、前記レンズ群を収容保持するための内側収容空間と、前記レンズ群を構成する最も物体側に位置されるガラスレンズを光軸方向で支持するレンズ支持面部とを有する筒状の鏡筒を備えるレンズユニットであって、
前記ガラスレンズは、負のパワーを有し、物体側の面が物体側へ向けて突出する凸状面として形成されるとともに、物体側へ向けて凹む径方向内側の凹面部と光軸方向に面する径方向外側の外端部とを像側の面に有し、
光軸方向で互いに対向する前記ガラスレンズの前記外端部と前記鏡筒の前記レンズ支持面部との間にシール部材が介挿され、
前記凹面部の径方向両端間を結ぶ弦の長さの１／２をｘとし、前記凹面部の曲率半径をＲとしたときに、ｘ／Ｒが０．９以上であることを特徴とするレンズユニット。
【請求項２】
前記鏡筒の物体側端部には、前記ガラスレンズを前記鏡筒の前記物体側端部に対して光軸方向で固定するための固定部材が着脱可能に取り付けられることを特徴とする請求項１に記載のレンズユニット。
【請求項３】
前記ガラスレンズには、前記固定部材の先端部を前記ガラスレンズの径方向内側に逃がすための逃げ溝が設けられ、この逃げ溝に前記固定部材の前記先端部が係合されることを特徴とする請求項２に記載のレンズユニット。
【請求項４】
請求項１から３のいずれか一項に記載のレンズユニットを備えていることを特徴とするカメラモジュール。
【発明の詳細な説明】
【技術分野】
【０００１】
本発明は、特に自動車等の車両に搭載される車載カメラを構成するレンズユニットおよびカメラモジュールに関する。
【背景技術】
【０００２】
従来から、自動車に車載カメラを搭載し、駐車をサポートしたり、画像認識により衝突防止を図ったりすることが行なわれており、さらにそれを自動運転に応用する試みもなされている。また、このような車載カメラ等のカメラモジュールは、一般に、複数のレンズが光軸に沿って並べられて成るレンズ群と、このレンズ群を収容保持する鏡筒（バレル）と、レンズ群の少なくとも一個所のレンズ間に配置される絞り部材とを有するレンズユニットを備える（例えば、特許文献１参照）。
【０００３】
特に、車載カメラ用のレンズユニットでは、少なくとも一部が車外に設置される場合、防水および防塵の目的で、図４に示すように、例えば最も物体側に位置されるガラスレンズ１００と鏡筒１０２との間に径方向でＯリング１０４が介挿され、鏡筒１０２の内側のレンズ群Ｌ内に水や塵埃が侵入しないようにしている。この場合、ガラスレンズ１００の外周面１００ａに、該レンズ１００の像側（結像側）部分に径が小さくなった段差状の縮径部１００ｂが設けられ、この縮径部１００ｂにＯリング１０４が装着されて、ガラスレンズ１００の外周面１００ａと鏡筒１０２の内周面１０２ａとの間でＯリング１０４が径方向で圧縮されることにより、鏡筒１０２の物体側端部が封止された状態となっている。
【先行技術文献】
【特許文献】
【０００４】
【特許文献１】特開２０１３−２３１９９３号公報
【発明の概要】
【発明が解決しようとする課題】
【０００５】
一般に、車載レンズにおいては、外部からの水の侵入を防止したりレンズ空間内の気密化を図るなどの目的で、前述したように、ガラスレンズ１００と鏡筒１０２との間にＯリング１０４を設ける必要があり、その装着方法として、Ｏリング１０４を装着するための段差状の縮径部１００ｂをガラスレンズ１００に設け、当該縮径部１００ｂと鏡筒１０２との間にＯリング１０４を配置している。この場合、縮径部１００ｂから光軸方向に向かう径方向のレンズ１００の厚みの存在により、Ｏリング１０４から径方向に発生する応力に対抗している。したがって、縮径部１００ｂを設けてここにＯリング１０４を配置する構造では、縮径部１００ｂの厚み（光軸方向の厚み）の分だけガラスレンズ１００の厚さ（光軸方向の寸法）を厚くせざるを得なかった。
【０００６】
最も物体側に位置されるガラスレンズ１００は、球面レンズが多用されており、近年、レンズの広角化が進むにつれて、その像側の凹面１００ｃの曲率半径が小さく（曲率がきつく）なってきている。そのような球面レンズは、従来から研磨によるレンズ加工法で製造されているが、研磨によるレンズ加工法では、製造上の困難性から、図５に示すような半球率ｘ／Ｒ（ｘ：凹面１００ｃの径方向両端Ａ，Ｂ間を結ぶ弦の長さの１／２、Ｒ：凹面１００ｃの曲率半径）が所定値（例えば０．９３〜０．９５：完全な半球では半球率が１）以下に制限されている。  
【０００７】
レンズの広角化が進んで球面レンズであるガラスレンズ１００の像側の凹面１００ｃの曲率が小さくなると、ガラスレンズ１００の外周とガラスレンズ１００の像側フランジ面との間に設けられる縮径部１００ｂの分だけガラスレンズ１００の厚みが必要であることから、その厚みの分だけガラスレンズ１００の像側の凹面１００ｃも図５に破線で示されるようにその曲率半径をもって延長される（凹面延長部１００ｃ’）ため、さらに半球率が増加する傾向になる。しかしながら、前述の半球率の制限から、ガラスレンズ１００の曲率半径を小さくするのには限界があった。
【０００８】
本発明は、前記事情に鑑みてなされたものであり、半球率が制約される場合であっても最も物体側に位置されるレンズの像側の凹面の曲率半径を従来と比べて小さくできるレンズユニットおよびカメラモジュールを提供することを目的とする。
【課題を解決するための手段】
【０００９】
前記課題を解決するために、本発明は、複数のレンズが光軸に沿って並べられて成る広角レンズを構成するレンズ群を備えるとともに、前記レンズ群を収容保持するための内側収容空間と、前記レンズ群を構成する最も物体側に位置されるガラスレンズを支持するレンズ支持面部とを有する筒状の鏡筒を備えるレンズユニットであって、前記ガラスレンズは、負のパワーを有し、物体側の面が物体側へ向けて突出する凸状面として形成されるとともに、物体側へ向けて凹む径方向内側の凹面部と光軸方向に面する径方向外側の外端部とを像側の面に有し、光軸方向で互いに対向する前記ガラスレンズの前記外端部と前記鏡筒の前記レンズ支持面部との間にシール部材が介挿され、前記凹面部の径方向両端間を結ぶ弦の長さの１／２をｘとし、前記凹面部の曲率半径をＲとしたときに、ｘ／Ｒが０．９以上であることを特徴とする。
【００１０】
本発明においては、鏡筒の内側の光学系（レンズ群）を外部に対してシールするシール部材がガラスレンズと鏡筒との間に光軸方向で介挿され、シール部材が光軸方向で圧縮されることにより鏡筒の物体側端部が封止された状態となることから、図４に示される従来のようにガラスレンズの外周面にシール部材を装着するための段差状の縮径部を設ける必要がなく、そのため、少なくともこの縮径部を確保せずに済む分だけガラスレンズの厚さ（光軸方向の寸法）を従来と比べて薄く形成でき、したがって、従来と比べてガラスレンズの曲率半径を小さくできる。すなわち、ガラスレンズは、凹面部の曲率半径が同一である従来のガラスレンズ（図４に示すような縮径部を有する厚肉のガラスレンズ）と比べ、厚さが薄くなる分（半球率のｘ（図５参照）を小さくできる分）だけ、半球率を小さくすることができ、したがって、半球率に制約がある場合でも（半球率が制約される従来のレンズ加工方法であっても）、半球率の限界値に対して裕度ができ、その裕度分だけ凹面部の曲率半径を更に小さくできる。
【００１１】
また、従来は、前述したようにガラスレンズに縮径部を設ける必要性から、ガラスレンズの外周厚みが厚くならざるを得ず、一方で光学設計による面間距離（ガラスレンズの像側面とこのガラスレンズに隣接する第２のレンズの物体側面との間の距離）を確保する必要性から、ガラスレンズの形状を第２のレンズに食い込ませる形状としている（例えば、前述した図４では、ガラスレンズ１００の一部がその像側でこれに隣接するレンズ１０７の凹部１０７ａで受けられている（凹部１０７ａに食い込んでいる））が、本発明によれば、前述したように最も物体側に位置されるガラスレンズの厚さを薄く形成できることにより、従来のように光学系（レンズ群）の光軸方向の寸法を抑えるべくこのガラスレンズの一部を像側でこれに隣接するレンズの凹部で受ける（食い込ませる）必要もなくなり、また、この凹部に伴う径方向のレンズ同士のずれに関連する組み立て性の不具合も解消できる。また、ガラスレンズの厚さを薄く形成できる分だけ、これらの２つの隣接するレンズ間に、必要な隙間を確保することも可能になる。
【００１２】
また、レンズの広角化が進むにつれて、最も物体側に位置されるガラスレンズの像側の凹面部の曲率半径が小さく（曲率がきつく）なってくることから、本発明の上記構成は、レンズ群が広角レンズを構成し、最も物体側に位置されるガラスレンズが負のパワーを有するとともに、半球率ｘ／Ｒ（凹面部の径方向両端間を結ぶ弦の長さの１／２をｘとし、凹面部の曲率半径をＲとする）が０．９以上であるときに特に有益である。なお、広角レンズとは、本明細書中においては、例えば画角が１６０°以上であるという条件を満たすレンズを言うものとする。
【００１３】
また、本発明の上記構成では、鏡筒の物体側端部に、ガラスレンズを鏡筒の物体側端部に対して光軸方向で固定するための固定部材が着脱可能に取り付けられることが好ましい。本発明の上記構成では、シール部材が光軸方向で圧縮されることから、例えば物体側端部のガラスレンズを固定するために従前から一般に行なわれる鏡筒端部のカシメだけではシール部材の圧縮に伴う光軸方向の反力を十分に支持できないことも考えられる。したがって、固定部材を鏡筒の物体側端部に着脱可能に取り付けて、この固定部材によってガラスレンズを鏡筒の物体側端部に対して光軸方向で固定すれば、十分な固定強度を確保でき、レンズ固定の信頼性を高めることができる。
【００１４】
また、本発明の上記構成では、固定部材の先端部をガラスレンズの径方向内側に逃がすための逃げ溝がガラスレンズに設けられ、この逃げ溝に固定部材の先端部が係合されることが好ましい。このような構成によれば、光学系（レンズ群）へと入射する入射光の光路を遮るように固定部材の先端部が突出して、固定部材によって入射光がケラれることを防止できる。
【００１５】
また、本発明に係るカメラモジュールは、前記レンズユニットを備えていることを特徴とする。  
このような構成によれば、前述のレンズユニットの作用効果をカメラモジュールで得ることができる。
【発明の効果】
【００１６】
本発明によれば、鏡筒の内側のレンズ群を外部に対してシールするシール部材がガラスレンズと鏡筒との間に光軸方向で介挿されることから、従来のようにガラスレンズの外周面にシール部材を装着するための段差状の縮径部を設ける必要がなく、そのため、ガラスレンズの厚さ（光軸方向の寸法）を従来と比べて薄く形成でき、したがって、従来と比べてガラスレンズの曲率半径を小さくできる。
【図面の簡単な説明】
【００１７】
【図１】本発明の第１の実施の形態に係るレンズユニットの概略断面図である。
【図２】第１の実施の形態に係るレンズユニットを有するカメラモジュールの概略断面図である。
【図３】本発明の第２の実施の形態に係るレンズユニットの概略断面図である。
【図４】従来のレンズユニットの一例を示す概略断面図である。
【図５】半球率を説明するための模式図である。
【発明を実施するための形態】
【００１８】
以下、図面を参照しながら本発明の実施の形態について説明する。  
なお、以下で説明される本実施の形態のレンズユニットは、特に車載カメラ等のカメラモジュール用のものであり、例えば、自動車の外表面側に固定して設置され、配線は自動車内に引き込まれてディスプレイやその他の装置に接続される。また、図１〜図５においてレンズについてはハッチングを省略している。
【００１９】
図１は、本発明の第１の実施の形態に係るレンズユニット１１を示している。図示のように、本実施の形態のレンズユニット１１は、例えば樹脂製の円筒状の鏡筒（バレル）１２と、鏡筒１２の段付きの内側収容空間Ｓ内に配置される複数のレンズ、例えば、物体側から、第１のレンズ１３、第２のレンズ１４、第３のレンズ１５、第４のレンズ１６、第５のレンズ１７、第６のレンズ１８および第７のレンズ１９から成る７つのレンズと、絞り部材２２とを備えている。絞り部材２２は、本実施の形態では、第３のレンズ１５と第４のレンズ１６との間に介挿されており、透過光量を制限し、明るさの指標となるＦ値を決定する「開口絞り」またはゴーストの原因となる光線や収差の原因となる光線を遮光する「遮光絞り」である。このようなレンズユニット１１を備える車載カメラは、レンズユニット１１と、図示しないイメージセンサを有する基板と、当該基板を自動車等の車両に設置する図示しない設置部材とを備えるものである。
【００２０】
鏡筒１２の内側収容空間Ｓ内に組み込まれて収容保持される複数のレンズ１３，１４，１５，１６，１７，１８，１９は、それぞれの光軸を一致させた状態で積み重ねられて配置されており、１つの光軸Ｏに沿って各レンズ１３，１４，１５，１６，１７，１８，１９が並べられた状態となって、撮像に用いられる１群のレンズ群Ｌを構成している。特に、本実施の形態では、レンズ群Ｌが例えば画角１９５°の広角レンズを構成しており、この場合、例えば、第１のレンズ１３が負のパワーを有するガラスレンズであり、第２のレンズ１４が負のパワーを有する樹脂レンズであり、第３のレンズ１５が正のパワーを有する樹脂レンズであり、第４のレンズ１６が正のパワーを有するガラスレンズであり、第５のレンズ１７が負のパワーを有する樹脂レンズであり、第６のレンズ１８が正のパワーを有する樹脂レンズであり、第７のレンズ１９が正のパワーを有する樹脂レンズであるが、これに限定されない。本実施の形態を含む本発明は、後述するＯリングの配置形態に特徴があり、レンズの数、レンズおよび鏡筒の素材（ただし、第１のレンズ１３はガラス製）、レンズのパワーの正負等については用途等に応じて任意に設定できるとともに、レンズ群Ｌが広角レンズを構成していなくても構わない。また、本実施の形態において、像側に位置される２つの第５および第６のレンズ１７，１８は貼り合わせレンズであるが、そうである必要はない。なお、これらのレンズ１３，１４，１５，１６，１７，１８，１９の表面には、必要に応じて、反射防止膜、親水膜、撥水膜等が設けられる。
【００２１】
鏡筒１２の物体側の端部（図１において上端部）には固定部材としての樹脂製のキャップ２３が螺着され（したがって、着脱可能に取り付けられ）ており、このキャップ２３によってレンズ群Ｌの最も物体側に位置される第１のレンズ（ガラスレンズ）１３が鏡筒１２の物体側の端部に光軸方向で固定されている。無論、このような固定部材２３は、鏡筒１２に螺合されるキャップに限らず、第１のレンズ１３を光軸方向で鏡筒１２の物体側端部に固定できるものであればどのような部材であってもよい。また、鏡筒１２の物体側の端部を径方向内側にカシメることによって第１のレンズ１３が鏡筒１２の物体側の端部に固定されても構わない。
【００２２】
また、鏡筒１２の像側の端部（図１において下端部）には、第７のレンズ１９よりも径の小さい開口部を有する内側フランジ部２４が設けられている。この内側フランジ部２４と前記キャップ２３とにより、鏡筒１２内にレンズ群Ｌを構成する複数のレンズ１３，１４，１５，１６，１７，１８，１９と絞り部材２２とが光軸方向で保持固定されている。
【００２３】
また、最も物体側に位置される第１のレンズ１３は、その物体側の面が物体側へ向けて突出する凸状面１３ａとして形成されるとともに、その像側の面に、物体側へ向けて凹む径方向内側の凹面部１３ｂと、光軸方向に面する径方向外側の平面としての外端部１３ｃとを有する。そして、本実施の形態では、光軸方向で互いに対向する第１のレンズ１３の外端部１３ｃと鏡筒１２の平面としてのレンズ支持面部（第１のレンズ１３を光軸方向で支持する）１２ｂとの間に、シール部材としてのＯリング２６が介挿されている。このＯリング２６は、第１のレンズ１３の外端部１３ｃと鏡筒１２のレンズ支持面部１２ｂとの間を鏡筒１２の物体側端部で封止し、これにより、レンズユニット１１の物体側の端部から鏡筒１２内に水や塵埃等の微粒子が浸入するのを防止している。なお、第１のレンズ１３の外端部１３ｃと鏡筒１２のレンズ支持面部１２ｂとの間に介挿されるシール部材は、Ｏリングに限定されず、外端部１３ｃとレンズ支持面部１２ｂとの間をシールできればどのような形態であっても構わない。
【００２４】
この場合、第１のレンズ１３を光軸方向で支持する鏡筒１２のレンズ支持面部１２ｂには、Ｏリング２６を装着保持するための凹陥状の環状溝７２が設けられる。そして、本実施の形態では、レンズユニット１１の物体側の端部から鏡筒１２内へと侵入する水等の異物の侵入圧力がＯリング２６に作用することによってＯリング２６が径方向に押し潰されるように拡張変形してＯリング２６と第１のガラス１３との間に光軸方向で隙間が生じる（シールが破壊される）ことを防止するべく、Ｏリング２６の径方向の変形を抑えるための段差７３がこの環状溝７２の径方向内側に設けられている。
【００２５】
また、図２は、以上のような構成を成すレンズユニットを有する本実施の形態のカメラモジュール３００の概略断面図である。図示のように、このカメラモジュール３００は、フィルタ１００が装着された図１の第１の実施の形態に係るレンズユニット１１を含んで構成されるが、後述する図３の第２の形態に係るレンズユニット１１Ａを含んで構成されても構わない。
【００２６】
カメラモジュール３００は、外装部品である上ケース（カメラケース）３０１と、レンズユニット１１を保持するマウント（台座）３０２とを備えている。また、カメラモジュール３００は、シール部材３０３およびパッケージセンサ（撮像素子）３０４を備えている。
【００２７】
上ケース３０１は、鏡筒１２の外周面１２ａに鍔状に設けられるフランジ部２５に係合されるとともに、レンズユニット１１の物体側の端部を露出させて他の部分を覆う部材である。マウント３０２は、上ケース３０１の内部に配置されており、レンズユニット１１の雄ねじ１１ａと螺合する雌ねじ３０２ａを有する。シール部材３０３は、上ケース３０１の内面とレンズユニット１１の鏡筒１２の外周面１２ａとの間に介挿された部材であり、上ケース３０１の内部の気密性を保持するための部材である。
【００２８】
パッケージセンサ３０４は、マウント３０２の内部に配置されており、かつ、レンズユニット１１により形成される物体の像を受光する位置に配置されている。また、パッケージセンサ３０４は、ＣＣＤやＣＭＯＳ等を備えており、レンズユニット１１を通じて集光されて到達する光を電気信号に変換する。変換された電気信号は、カメラにより撮影された画像データの構成要素であるアナログデータやデジタルデータに変換される。
【００２９】
以上説明したように、前述した第１の実施の形態に係るレンズユニット１１およびそれを含むカメラモジュール３００においては、鏡筒１２の内側の光学系（レンズ群Ｌ）を外部に対してシールするＯリング２６が第１のレンズ（ガラスレンズ）１３と鏡筒１２との間に光軸方向で介挿され、Ｏリング２６が光軸方向で圧縮されることにより鏡筒１２の物体側端部が封止された状態となることから、図４に示される従来のようにガラスレンズの外周面にＯリングを装着するための段差状の縮径部を設ける必要がなく、そのため、少なくともこの縮径部を確保せずに済む分だけ第１のレンズ１３の厚さ（光軸方向の寸法）を従来と比べて薄く形成でき、したがって、従来と比べて第１のレンズ１３の曲率半径を小さくできる。すなわち、第１のレンズ１３は、凹面部１３ｂの曲率半径が同一である従来のガラスレンズ（図４に示すような縮径部を有する厚肉のガラスレンズ）と比べ、厚さが薄くなる分（半球率のｘ（図５参照）を小さくできる分）だけ、半球率を小さくすることができ、したがって、半球率に制約がある場合でも（半球率が制約される従来のレンズ加工方法であっても）、半球率の限界値に対して裕度ができ、その裕度分だけ凹面部１３ｂの曲率半径を更に小さくできる。
【００３０】
また、このように最も物体側に位置される第１のレンズ１３の厚さを薄く形成できることにより、従来のように光学系（レンズ群）の光軸方向の寸法を抑えるべくこの第１のレンズ１３の一部を像側でこれに隣接する第２のレンズ１４の凹部で受ける（食い込ませる）必要もなくなり、また、この凹部に伴う径方向のレンズ１３，１４同士のずれに関連する組み立て性の不具合も解消できる。また、第１のレンズ１３の厚さを薄く形成できる分だけ、これらの２つの隣接するレンズ１３，１４間に、必要な隙間を確保することも可能になる。
【００３１】
また、前述した実施の形態では、レンズ群Ｌが広角レンズを構成し、最も物体側に位置される第１のレンズ１３が負のパワーを有している。レンズの広角化が進むにつれて、最も物体側に位置される第１のレンズ１３の像側の凹面部１３ｂの曲率半径が小さく（曲率がきつく）なってくることから、本実施の形態の上記構成（Ｏリング２６の光軸方向配置形態）は、レンズ群Ｌが広角レンズを構成し、最も物体側に位置される第１のレンズ１３が負のパワーを有するとともに、半球率ｘ／Ｒ（凹面部１３ｂの径方向両端間を結ぶ弦の長さの１／２をｘとし、凹面部１３ｂの曲率半径をＲとする）が０．９以上であるときに特に有益である。
【００３２】
また、前述した実施の形態では、鏡筒１２の物体側端部に、第１のレンズ１３を鏡筒１２の物体側端部に対して光軸方向で固定するためのキャップ（固定部材）２３が着脱可能に取り付けられている。前述した実施の形態では、Ｏリング２６が光軸方向で圧縮されることから、例えば物体側端部の第１のレンズ１３を固定するために従前から一般に行なわれる鏡筒端部のカシメだけではＯリング２６の圧縮に伴う光軸方向の反力を十分に支持できないことも考えられる。したがって、本実施の形態のようにキャップ２３を鏡筒１２の物体側端部に着脱可能に取り付けて、このキャップ２３によって第１のレンズ１３を鏡筒１２の物体側端部に対して光軸方向で固定すれば、十分な固定強度を確保でき、レンズ固定の信頼性を高めることができる。
【００３３】
図３は本発明の第２の実施の形態を示している。図示のように、本実施の形態のレンズユニット１１Ａは、鏡筒１２およびキャップ２３が金属によって形成されており、また、キャップ２３の先端部２３ａを第１のレンズ１３の径方向内側に逃がすための逃げ溝１３ｄが第１のレンズ１３の外周面１３ｅに設けられ、この逃げ溝１３ｄにキャップ２３の先端部２３ａが係合されている。
【００３４】
このような構成によれば、光学系（レンズ群Ｌ）へと入射する入射光の光路を遮るようにキャップ２３の先端部２３ａが突出して、キャップ２３によって入射光がケラれることを防止できる。
【００３５】
なお、本発明は、前述した実施の形態に限定されず、その要旨を逸脱しない範囲で種々変形して実施できる。例えば、本発明において、レンズ、鏡筒などの形状は、前述した実施の形態に限定されない。また、固定部材およびシール部材の形態もキャップやＯリングに限らない。さらに、シール部材（Ｏリング）は、第１のレンズと鏡筒との間に軸方向で配置されていればよく、その配設位置が外周側に特に限定されない。
【符号の説明】
【００３６】
１１，１１Ａ  レンズユニット
１２  鏡筒
１２ｂ  レンズ支持面部
１３  ガラスレンズ（第１のレンズ）
１４，１５，１６，１７，１８，１９  第２〜第７のレンズ
１３ａ  凸状面
１３ｂ  凹面部
１３ｃ  外端部
１３ｄ  逃げ溝
２３  キャップ（固定部材）
２３ａ  先端部
２６  Ｏリング（シール部材）
３００  カメラモジュール
Ｏ  光軸
Ｓ  内側収容空間
【図１】
2019113734.tif 000003
【図２】
2019113734.tif 000004
【図３】
2019113734.tif 000005
【図４】
2019113734.tif 000006
【図５】
2019113734.tif 000007